(57)【要約】      （修正有）【課題】紙パックを傾斜させて飲料を注ぎ出すときに使用する紙パックホルダであって、手にかかる負担を小さくすることにより、手の小さい人や力の弱い人が、片手で確実に紙パックと共に持ち上げることができる紙パックホルダを提供する。【解決手段】紙パック６を下受３と中枠４で保持する紙パックホルダ１とし、支柱２に握部２ａを設ける。また、紙パック６の側面高６ｃの１／２以下であって１／３以上の高さ位置に中枠４を設け、中枠４の上側に握部２ａを設ける。また、握部２ａを上に向かうにつれて紙パック６側に近づくよう傾斜させる。さらに、握部２ａに凹凸を設け指が凹部にはまるようにする。【選択図】図１
0003194270.tif 000002
【実用新案登録請求の範囲】
【請求項１】
飲料用の紙製容器（以下単に「紙パック」という。）を傾斜させて、前記紙パックから飲料を注ぎ出すときに使用する紙パックホルダであって、
前記紙パックホルダは支柱と下受と中枠とを有するものとし、前記支柱の上部を握部とし、前記下受は底部と枠部を有するものとして、前記底部の上側に窪みを設け、前記中枠の空間及び下受の前記窪みは、平面視において共に概正方形を有するものとし、
前記紙パックを中枠の前記空間に貫通させると共に下受の前記窪みに挿入し、前記紙パックを下受の前記底部に載せた状態において、支柱の前記握部と前記紙パックとの間に指空間を設け、前記指空間に指を通して支柱の前記握部を掴むことを可能にしたことを特徴とする紙パックホルダ。
【請求項２】
請求項１に記載した紙パックホルダであって、前記紙パックの側面を構成する四面の高さ（以下単に「側面高」という。）の１／２以下であって１／３以上の高さ位置に前記中枠を設け、前記中枠の上側に前記握部を設けたことを特徴とする紙パックホルダ。
【請求項３】
請求項１又は請求項２のいずれかに記載した紙パックホルダであって、前記握部を上に向かうにつれて紙パック側に近づくよう傾斜させたことを特徴とする紙パックホルダ。
【請求項４】
請求項１〜請求項３のいずれかに記載した紙パックホルダであって、前記握部に凹凸を設け、使用者の指が前記凹凸の凹部にはまるように構成したことを特徴とする紙パックホルダ。
【考案の詳細な説明】
【技術分野】
【０００１】
本考案は、飲料用の紙製容器（以下単に「紙パック」という。）を傾斜させて、紙パックから飲料を注ぎ出すときに使用する紙パックホルダに関するものである。
【背景技術】
【０００２】
酒、焼酎、ジュース、牛乳、水などの飲料は紙パックに詰めた状態で販売されている。飲料を詰めた中型から大型の紙パックは重量が重く、また持ちにくい形状を有しているため、手の小さい人や力の弱い人が、片手で持って紙パックを傾斜させ、飲料を注ぎ出すことは困難であった。
従来、紙パックの三角形フラップを差し込み保持する発明があった（例えば、特許文献１参照。）が、紙パックの保持方法自体が確実でないことと、紙パックの上部を保持するため、バランスが悪く不安定となる問題があっった。
紙パックの上部に三角窪み６ａがある（図１参照）。そこで、この三角窪み６ａにストッパを挿入して保持する方式の紙パックホルダーを試してみたが、紙パックの上部を保持して傾斜させるためバランスが悪く、また、紙パックの中の飲料を紙パック自身の剛性によって保持することになり、紙パックが変形して不安定となる問題があった。
【先行技術文献】
【特許文献】
【０００３】
【特許文献１】特開平６−２７０９３３号公報
【考案の概要】
【考案が解決しようとする課題】
【０００４】
本考案の目的は、紙パックを傾斜させて飲料を注ぎ出すときに使用する紙パックホルダであって、手にかかる負担を小さくすると共に、手の小さい人や力の弱い人が、片手で確実に持ち上げることができる紙パックホルダを提供することにある。
【課題を解決するための手段】
【０００５】
紙パックを下受と中枠とで保持する紙パックホルダとし握部を設ける。また、紙パックの側面を構成する四面の高さ（以下単に「側面高」という。）の１／２以下であって１／３以上の高さ位置に中枠を設け、中枠の上側に握部を設ける。また、握部を上に向かうにつれて紙パック側に近づくよう傾斜させる。さらに、握部に凹凸を設け、指が凹部にはまるようにする。
【考案の効果】
【０００６】
紙パックの底を下受により下から保持する構成にしたため、紙パックを安定して保持することが可能になり、側面高の１／３以上の高さ位置に中枠を設けたので、確実に紙パックを保持することができた。また、紙パックの側面高の１／２以下の高さ位置に中枠を設けたので、紙パックホルダに対する紙パックの着脱作業が容易になった。
さらに、握部を上に向かうにつれて紙パック側に近づくよう傾斜させ、握部に凹凸を設けて、使用者の指が凹凸の凹部にはまるようにしたため、手から握部が滑り落ちることがなくなり、強い力で掴まなくても確実に持つことができるようになった。
このため、紙パックの中に飲料が多量に残っている状態において、紙パックを傾斜させて飲料を注ぎ出す場合に、手の小さい人や力の弱い人であっても、容易に紙パックホルダの握部を掴み、紙パックを持ち上げることが可能になった。
【図面の簡単な説明】
【０００７】
【図１】紙パックを保持した状態の紙パックホルダの側面図である。
【図２】紙パックホルダの正面図である。
【図３】部分拡大断面図を有する紙パックホルダの側面図である。
【図４】図３のＪ−Ｊ視図である。
【考案を実施するための形態】
【０００８】
支柱と下受と中枠を有する紙パックホルダとする。下受は底部と枠部を有するものとし、底部の上側に窪みを設ける。また、中枠の空間及び下受の窪みは、平面視において共に概正方形を有するものとする。そして、紙パックを中枠の空間に貫通させると共に下受の窪みに挿入して、紙パックの下面を下受の底部に載せて保持する構成とする。
さらに、支柱の上部を握部とし、紙パックを保持した状態において、支柱の握部と紙パックとの間に指空間を設け、指空間に指を通して支柱の握部を掴むことを可能にした紙パックホルダとする。
また、紙パックホルダであって、紙パックの側面高の１／２以下であって１／３以上の高さ位置に中枠を設け、中枠の上側に握部を設けた紙パックホルダとする。
【０００９】
紙パックホルダの材質については特に限定するものではないが、木製、アルミ合金、合成樹脂などを使用すると、製造が容易で軽量化がはかれるため好ましい。
中枠の空間及び下受の窪みは、保持する紙パックのサイズよりわずかに大きなものとし、紙パックを保持して傾斜させた時に、紙パックが紙パックホルダの中でがたつかないようにすることが好ましい。底部は板状とすることが好ましいが、紙パックの下面を支持することができれば、格子状、すのこ状、窓枠状など、空間を有していても構わない。
使用者が握部を掴んだ状態で、紙パックを保持した紙パックホルダを持ち上げて使用する。このため、支柱の握部と紙パックとの間に指空間を設け、人差指から小指までを指空間に通すことが可能な構成にする。
過度に上の方に枠を取り付けると、紙パックを高く持ち上げなければならず、紙パックを着脱する作業が容易でなくなる。また過度に下の方に枠を取り付けると、傾斜させたときに紙パックを安定して保持することが困難になる。そこで、紙パックの側面高の１／２以下であって１／３以上の高さ位置に中枠を設けたものである。
【００１０】
握部を上に向かうにつれて紙パック側に近づくよう傾斜させた紙パックホルダとする。また、握部に凹凸を設け、使用者の指が凹凸の凹部にはまるようにした紙パックホルダとする。使用者の人差指だけ、人差指と中指の２本だけ、人差指から薬指までの３本だけ、又は、人差指から小指までの４本の指が凹部にはまるようにすることが考えられ、いずれの構成でもかまわない。また、複数の凹部を設けてに指が個別にはまるようにしたり、複数の指をまとめて凹部にはまるようにすることも考えられる。
握部を上に向かうにつれて紙パック側に近づくよう傾斜させると、重力が握部の軸方向と軸の直角方向に分割され、握部が滑り落ちようとする方向の力が軽減する。また握部に凹凸を設けることにより、使用者の手と握部との間に滑りが発生することを防ぐ。
このため、使用者が握部を掴んだときの、使用者の手から握部が滑り落ちようとする動きを防ぐことが可能になる。従って、紙パックの中に多量の飲料が残っている状態でも、手の小さい人や力の弱い人が容易に持ち上げ、紙パックホルダによって保持した紙パックを傾斜させることができる。
【実施例１】
【００１１】
以下、本考案の実施例を図１〜図４に示し説明する。紙パックホルダ１は、木製の支柱２、下受３及び中枠４からなるものとした。支柱２に対する下受３及び中枠４の取り付けは、接着剤を使用すると共にダボ５を打ち込み確実に取り付けた。
下受３は、底部３ａと枠部３ｂとからなるものとし、底部３ａの上側に概正方形の窪み３ｃを設けた。また、紙パック６の側面高６ｃの１／２以下であって１／３以上の高さ位置に、概正方形の空間４ａを有する中枠４を設けた。
支柱２は、中枠４の上側においてＳ字状に湾曲し、紙パック６を保持した状態において、一旦紙パック６から離れた後に、上に向かうにつれて紙パック６に近づくよう傾斜する構成とした。また、支柱２の上部を握部２ａとし、握部２ａと紙パック６との間に指空間２ｄを設け、さらに握部２ａには凹凸２ｂを設けた。
握部２ａの凹凸２ｂは人差指、中指及び薬指がそれぞれ対応する凹部に個別にはまる構成とし、握部２ａの上面２ｃに親指用の凹部（図示せず。）を設け、上面２ｃの親指用の凹部に親指がはまるようにした。
【００１２】
紙パックホルダ１に紙パック６を取り付ける場合は、紙パック６の注口６ｂを支柱２の反対側とし、中枠４の空間４ａに貫通させ、下受３の窪み３ｃに挿入して、紙パック６の下面を下受の底部３ａに載せる。
使用者は、親指を上面２ｃの親指用の凹部に載せ、人差指、中指及び薬指を凹凸部２ｂの複数の窪みに個別にはめ、小指を薬指に沿わせた状態で握部２ａを掴む。
紙パック６の中に多量の飲料が残っている状態では、飲料の重みで自然に紙パックホルダ１は傾斜して、注口６ｂから飲料を注ぎ出すことができる。このとき、握部２ａの傾斜により、重力が握部２ａの軸方向と軸の直角方向に分割され、握部が滑り落ちようとする方向の力が軽減する。また、凹凸２ｂにより使用者の手と握部との間に滑りが発生することを防ぐため、強く掴まなくても握部２ａが使用者の手から滑り落ちることはない。
また、紙パック６の中の飲料が残り少なくなった状態では、注口６ｂより下受３が重力方向において上側に位置する形で傾斜するが、ほとんど全部の飲料を注ぎ出すまで傾斜させても、紙パックホルダ２から紙パック６が滑り落ちることはない。
【産業上の利用可能性】
【００１３】
本考案は、紙パックホルダを製造販売する産業以外にも、紙パック飲料を提供するサービス産業においても利用することができる。
【符号の説明】
【００１４】
１  ：紙パックホルダ            ２  ：支柱                ２ａ：握部
２ｂ：凹凸                      ２ｃ：上面                ２ｄ：指空間
３  ：下受                      ３ａ：底部                ３ｂ：枠部
３ｃ：窪み                      ４  ：中枠                ４ａ：空間
５  ：ダボ                      ６  ：紙パック            ６ａ：三角窪み
６ｂ：注口                      ６ｃ：側面高
【図１】
0003194270.tif 000003
【図２】
0003194270.tif 000004
【図３】
0003194270.tif 000005
【図４】
0003194270.tif 000006